(57)【要約】【課題】、計量カップがコックから外れて滑り落ちることがなく、両手を使わないでも容易に計量できる、安価で大量生産可能な計量カップを提供する。【解決手段】コック２０が有するつば２４に着脱可能に取り付けることができ、コック２０の注出口２３から注出する液体を計量する計量カップ１０であって、液体を収容する液体収容部１と、つば２４を上下から挟んでスライドするスリット部２と、スリット部２をスライドさせてつば２４に取り付ける際に注出口２３を液体収容部１内に導く段差部３と、を有する一体成形体で少なくとも構成されるようにして上記課題を解決した。スリット部２は、コック２０の胴体部２１の少なくとも左右位置に突出し前後方向Ｙに延びる平板形状のつば２４に取り付けられる。【選択図】図２
2020050426.tif 000002
【特許請求の範囲】
【請求項１】
コックが有するつばに着脱可能に取り付けることができ、前記コックの注出口から注出する液体を計量する計量カップであって、
前記液体を収容する液体収容部と、前記つばを上下から挟んでスライドするスリット部と、前記スリット部をスライドさせて前記つばに取り付ける際に前記注出口を前記液体収容部内に導く段差部と、を有する一体成形体で少なくとも構成されている、ことを特徴とする計量カップ。
【請求項２】
前記スリット部は、前記段差部上方に位置して、前記液体収容部の上縁部を切り欠いた切り欠き部に水平又は略水平に左右一対に設けられている、請求項１に記載の計量カップ。
【請求項３】
前記スリット部は、前記コックの胴体部の少なくとも左右位置に突出し前後方向に延びる平板形状の前記つばに取り付けられる、請求項１又は２に記載の計量カップ。
【請求項４】
前記スリット部は、前記コックに係止する係止構造を一体又は別体で有する、請求項１〜３のいずれか１項に記載の計量カップ。
【請求項５】
前記一対のスリット部は、前記つばの胴体部側の湾曲形状と同じ、中央が凹んだ湾曲形状の弾性構造になっている、請求項２に記載の計量カップ。
【請求項６】
前記段差部は、前記スリット部から下方に延びる凹みであり、該凹み上縁から前記スリット部までの長さが前記コックのつばから注出口先端までの長さよりも長い、請求項１〜５のいずれか１項に記載の計量カップ。
【請求項７】
前記段差部は、前記液体収容部の一部を構成する、又は、前記液体収容部への連通口を有する、請求項１〜５のいずれか１項に記載の計量カップ。
【請求項８】
コックに計量カップを着脱容易に取り付けることができる組み合わせであって、
前記コックは、袋体に取り付けるための取付部と、前記袋体に収容された液体を注出する注出口と、前記注出口を開閉する操作部と、前記計量カップが備えるスリット部を着脱可能に取り付けるつばと、それらが連結された胴体部とで少なくとも構成され、
前記計量カップは、前記コックの注出口から注出する液体を収容する液体収容部と、前記つばを上下から挟んでスライドするスリット部と、前記スリット部をスライドさせて前記つばに取り付ける際に前記注出口を前記液体収容部に導入する段差部とを有する一体成形体で少なくとも構成されている、ことを特徴とする計量カップとコックとの組み合わせ。
【請求項９】
前記つばは、前記コックの胴体部の少なくとも左右位置に突出し前後方向に延びる平板である、請求項８に記載の計量カップとコックとの組み合わせ。
【請求項１０】
前記一対のスリット部は、中央が凹又は凸の湾曲形状の弾性構造であり、前記つばの胴体部側には、中央が凹又は凸の湾曲形状の湾曲形状構造が設けられている、請求項８又は９に記載の計量カップとコックとの組み合わせ。
【請求項１１】
前記段差部は、前記スリット部から下方に延びる凹みであり、該凹み上縁から前記スリット部までの長さが前記コックのつばから注出口先端までの長さよりも長い、請求項８〜１０のいずれか１項に記載の計量カップとコックとの組み合わせ。
【発明の詳細な説明】
【技術分野】
【０００１】
本発明は、計量カップ及びその計量カップとコックとの組み合わせに関する。さらに詳しくは、洗濯用液体洗剤や柔軟剤等の液体を収容した袋体を外装箱に収納したバッグインボックスのコックに着脱容易で、目視による注出量の確認も容易な計量キャップ、及びその計量カップとコックとの組み合わせに関する。
【背景技術】
【０００２】
洗濯用液体洗剤や柔軟剤等の液体は、ボトル容器やバッグインボックス容器に収容され、所定量を計量カップで計量して使用されている例が多い。そのため、所定量を計量カップで容易に計量することができることが望ましく、使い勝っての良い計量手段が検討されている。しかし、ボトル容器に比べて比較的容量の大きいバッグインボックス容器では、液体を注出するためのコックとして、ハンドルを回転させて開閉する等、一方の手で計量カップを持ち、もう一方の手でコックを操作するものが多い。一方で、両手を使わないでも容易に計量できる計量手段が要請されている。
【０００３】
上記要請に対し、例えば特許文献１では、バルブの開閉で収容液の注出操作を行えるバッグインボックスを、洗濯用液体洗剤や柔軟剤等の液体を収容する容器とし、計量カップにて収容液を計量して適量の注出が簡単に行えるようにし、その計量カップの取り扱いを簡便にする技術が提案されている。この技術は、上面が開放のカップ本体と、カップ本体の上面に重ね合わせ可能な蓋体とからなり、蓋体は、下向き注出管に取り付け可能な取付部を備え、蓋体のカップ本体への重ね合わせと取付部の下向き注出管への取り付けとにより、カップ本体、下向き注出管に対してこの下向き注出管から注出される液体を下受けする箇所に位置するようにしたものである。
【先行技術文献】
【特許文献】
【０００４】
【特許文献１】特開２０１０−２８５１６8号公報
【発明の概要】
【発明が解決しようとする課題】
【０００５】
上記先行技術では、計量カップが備えるＵ字構造の取付部をコックの円筒部に取り付けているので、計量カップを取り付けた後にコックを操作することができ、両手を使わないでも計量できる。しかしながら、蓋体がカップの上面の大半を覆ってしまうため、カップ上面からの目視による注出量の確認がしづらく、十分に使い勝っての良いものとは言い難い。さらに、上記先行技術では、計量カップが、２ピースの成形品又はヒンジ部を介して接続された１ピースの成形品であり、安価に大量生産するには不向きである。
【０００６】
本発明は、上記課題を解決するためになされたものであって、その目的は、目視による注出量の確認が容易で、両手を使わないでも容易に計量できる、安価で大量生産可能な計量カップ及びその計量カップとコックとの組み合わせを提供することにある。
【課題を解決するための手段】
【０００７】
（１）本発明に係る計量カップは、コックが有するつばに着脱可能に取り付けることができ、前記コックの注出口から注出する液体を計量する計量カップであって、
前記液体を収容する液体収容部と、前記つばを上下から挟んでスライドするスリット部と、前記スリット部をスライドさせて前記つばに取り付ける際に前記注出口を前記液体収容部内に導く段差部と、を有する一体成形体で少なくとも構成されている、ことを特徴とする。
【０００８】
この発明によれば、一体成形体で少なくとも構成されているので、従来技術と比較して形状の制約が少なく、１ピースで射出成形が可能なため、安価で量産可能な計量カップとすることができる。また、スリット部が、コックのつばを上下から挟んでスライドするので、コックに着脱可能に取り付けることができる。また、段差部を有するので、スリット部をスライドさせてつばに取り付ける際に、注出口が液体収容部に当たることなく容易に液体収容部内に導くことができる。また、従来のような蓋体がないので、カップ上面からの目視による注出量の確認が容易である。
【０００９】
本発明に係る計量カップにおいて、前記スリット部は、前記段差部上方に位置して、前記液体収容部の上縁部を切り欠いた切り欠き部に水平又は略水平に左右一対に設けられている。この発明によれば、スリット部が段差部上方の液体収容部上縁部に左右一対で形成されているので、一対のスリット部がコックのつばを上下から挟んでスライドする。
【００１０】
本発明に係る計量カップにおいて、前記スリット部は、前記コックの胴体部の少なくとも左右位置に突出し前後方向に延びる平板形状の前記つばに取り付けられる。この発明によれば、左右位置に形成されたつばに、計量カップのスリット部をスライドさせて取り付けることができる。
【００１１】
本発明に係る計量カップにおいて、前記スリット部は、前記コックに係止する係止構造を一体又は別体で有する。この発明によれば、計量カップがコックから外れて滑り落ちることがない。
【００１２】
本発明に係る計量カップにおいて、前記一対のスリット部は、前記つばの胴体部側の湾曲形状と同じ、中央が凹んだ湾曲形状の弾性構造になっている。この発明によれば、中央が凹んだ湾曲形状の弾性構造が、つばの胴体部側の湾曲形状と同じであるので、その湾曲形状の弾性構造の付勢力により、スリット部がコックから外れるのを防ぐことができる。
【００１３】
本発明に係る計量カップにおいて、前記段差部は、前記スリット部から下方に延びる凹みであり、該凹み上縁から前記スリット部までの長さが前記コックのつばから注出口先端までの長さよりも長い。この発明によれば、凹み上縁からスリット部までの長さが、コックのつばから注出口先端までの長さよりも長いので、計量カップをスライドさせて取り付ける際に、注出口先端が計量カップに当たることを防ぐことができる。
【００１４】
本発明に係る計量カップにおいて、前記段差部は、前記液体収容部の一部を構成する、又は、前記液体収容部への連通口を有する。この発明によれば、段差部は、注出口先端が液体収容部に当たることなく容易に液体収容部内に導くので、その段差部が液体収容部の一部を構成するか、液体収容部への連通口を有するように構成されていることにより、注出口からの液体を液体収容部に収容することができる。
【００１５】
（２）本発明に係る計量カップとコックとの組み合わせは、コックに計量カップを着脱容易に取り付けることができる組み合わせであって、
前記コックは、袋体に取り付けるための取付部と、前記袋体に収容された液体を注出する注出口と、前記注出口を開閉する操作部と、前記計量カップが備えるスリット部を着脱可能に取り付けるつばと、それらが連結された胴体部とで少なくとも構成され、
前記計量カップは、前記コックの注出口から注出する液体を収容する液体収容部と、前記つばを上下から挟んでスライドするとともに前記つばに係止する係止構造を有するスリット部と、前記スリット部をスライドさせて前記つばに取り付ける際に前記注出口を前記液体収容部に導入する段差部とを有する一体成形体で少なくとも構成されている、ことを特徴とする。
【００１６】
本発明に係る計量カップとコックとの組み合わせにおいて、前記つばは、前記コックの胴体部の少なくとも左右位置に突出し前後方向に延びる平板である。この発明によれば、左右位置に形成されたつばに、計量カップのスリット部をスライドさせて取り付けることができる。
【００１７】
本発明に係る計量カップとコックとの組み合わせにおいて、前記一対のスリット部は、中央が凹又は凸の湾曲形状の弾性構造であり、前記つばの胴体部側には、中央が凹又は凸の湾曲形状構造が設けられている。この発明によれば、中央が凹又は凸の湾曲形状の弾性構造が、つばの胴体部側の湾曲形状構造と同じであるので、その弾性構造の付勢力により、スリット部がコックから外れるのを防ぐことができる。
【００１８】
本発明に係る計量カップとコックとの組み合わせにおいて、前記段差部は、前記スリット部から下方に延びる凹みであり、該凹み上縁から前記スリット部までの長さが前記コックのつばから注出口先端までの長さよりも長い。この発明によれば、凹み上縁からスリット部までの長さが、コックのつばから注出口先端までの長さよりも長いので、計量カップをスライドさせて取り付ける際に、注出口先端が計量カップに当たることを防ぐことができる。
【発明の効果】
【００１９】
本発明によれば、目視による注出量の確認が容易で、両手を使わないでも容易に計量できる、安価で大量生産可能な計量カップ及びその計量カップとコックとの組み合わせを提供することができる。
【図面の簡単な説明】
【００２０】
【図１】本発明に係る計量カップの一例を示す斜視図である。
【図２】本発明に係る計量カップとコックとの組み合わせの一例を示す斜視図である。
【図３】コックの一例を示す斜視図である。
【図４】計量カップの側面図（Ａ）と平面図（Ｂ）と正面図（Ｃ）の例である。
【図５】プッシュ式コックのつば及びその周辺形状の説明図であり、（Ａ）は平面図であり、（Ｂ）は正面図であり、（Ｃ）は側面図である。
【図６】段差部とコックの注出口との関係を示す説明図である。
【図７】計量カップとプッシュ式コックとの組み合わせの使用形態の一例を示す説明図である。
【図８】係止構造の他の形態例である。
【図９】計量カップを取付部位に取り付ける場合の形態を示す例であり、（Ａ）は取付部位を傾斜させた形態であり、（Ｂ）はスリットを傾斜させた形態である。
【発明を実施するための形態】
【００２１】
本発明に係る計量カップ及び計量カップとコックとの組み合わせについて図面を参照しつつ説明する。なお、本発明は下記実施の形態に記載の内容に限定されるものではなく、特許請求の範囲に記載されている事項の範囲内で考えられるその他の実施の形態や使用例も含む。また、本発明に係る要旨を逸脱しない範囲内であれば種々の変更や上記実施の形態の組み合わせを施してもよい。
【００２２】
［基本構成］
本発明に係る計量カップ１０は、図１及び図２に示すように、コック２０が有するつば２４に着脱可能に取り付けることができ、コック２０の注出口２３から注出する液体を計量する計量カップである。この計量カップ１０は、液体を収容する液体収容部１と、つば２４を上下から挟んでスライドするスリット部２と、スリット部２をスライドさせてつば２４に取り付ける際に、注出口２３を液体収容部１内に導く段差部３と、を有する一体成形体で少なくとも構成されている。
【００２３】
本発明に係る計量カップ１０とコック２０との組み合わせ３０は、図２に示すように、コック２０に計量カップ１０を着脱容易に取り付けることができる組み合わせである。コック２０は、袋体に取り付けるための取付部２７と、袋体に収容された液体を注出する注出口２３と、注出口２３を開閉する操作部２２と、計量カップ１０が備えるスリット部２を着脱可能に取り付けるつば２４と、それらが連結された胴体部２１とで少なくとも構成されている。計量カップ１０は、コック２０の注出口２３から注出する液体を収容する液体収容部１と、つば２４を上下から挟んでスライドするとともにつば２４に係止する係止構造１１を有するスリット部２と、スリット部２をスライドさせてつば２４に取り付ける際に注出口２３を液体収容部１に導入する段差部３とを有する一体成形体で少なくとも構成されている。
【００２４】
計量カップ１０は、一体成形体で少なくとも構成されているので、従来技術と比較して形状の制約が少なく、１ピースで射出成形が可能なため、安価で量産可能な計量カップとすることができる。また、スリット部２が、コック２０のつば２４を上下から挟んでスライドするので、コック２０に着脱可能に取り付けることができる。また、段差部３を有するので、スリット部２をスライドさせてつば２４に取り付ける際に、注出口２３が液体収容部１に当たることなく容易に液体収容部１内に導くことができる。また、従来のような蓋体がないので、カップ上面からの目視による注出量の確認が容易である。
【００２５】
以下、各構成要素について詳しく説明する。なお、「前後方向Ｙ」とは、バックインボックス等の液体容器にコック２０が取り付けられ、そのコック２０に計量カップ１０が取り付けられている場合の、液体容器側から計量カップ１０の方向であり、「手前」というときは、計量カップ１０側であり、「奥」又は「奥側」というときは、コック側である。「左右方向Ｘ」とは、手前から見た場合の左右方向のことである。「上下方向Ｚ」とは、注出口２３から液体が落ちる方向である。
【００２６】
［計量カップ］
計量カップ１０は、コック２０が有するつば２４に着脱可能に取り付けることができ、コック２０の注出口２３から注出する液体を計量する。計量カップ１０は、液体収容部１とスリット部２と段差部３とを有した一体成形体で少なくとも構成されている。この計量カップ１０は、一体成形体で少なくとも構成されているので、従来技術と比較して形状の制約が少なく、１ピースで射出成形が可能なため、安価で量産可能な計量カップ１０とすることができる。
【００２７】
「有する」としたのは、これら以外の構造要素をさらに含んでいてもよいことを意味している。「一体成形体で少なくとも構成されている」としたのは、一体成形体だけで構成されていてもよいし、一体成形体にさらに別部材が追加されていてもよいことを意味している。「一体成形体」は、射出成形機で成形された一体物の意味である。こうした計量カップ１０の形態は、下記の各構成要素を有し、その作用効果を同じくするものであれば、図１及び図４に示す形態に限定されず、各種の構造形態であってもよい。
【００２８】
（液体収容部）
液体収容部１は、液体を収容する部分である。液体は、液体容器（例えばバックインボックス等）に取り付けられたコック２０の注出口２３から注出されるものであり、洗濯用液体洗剤や柔軟剤等のように、所定量を計量して用いる液体であることが好ましい。液体収容部１には、そうした液体の所定量を計量するため、図１に示すように、見えやすい位置に目盛りが付されていることが好ましい。なお、計量カップ１０全体の色や透明度も特に限定されないが、容器側面に設けた目盛りで、収容された液体を透けてみる必要があるので、透明、半透明、又は透けて見える白色系の色合いであることが好ましい。
【００２９】
液体収容部１の形状は特に限定されないが、図１に示すように、円形又は略円形や多角形又は略多角形のカップ状容器であればよく、円形又は略円形のカッブ状容器が好ましい。底１ｂは通常は平らであり、底１ｂの周縁１ｃは滑らかな曲面になっていることが好ましい。側面１ｄには滑り止めの凹凸が縦方向、横方向及び斜め方向から選ばれるいずれか１又は横２以上の方向に配列されていてもよい。上方は開口しており、上縁部１ａで開口部が形成されている。開口部からは、収容された液体の注出量を目視により容易に確認することができる。手前側は、コック２０が取り付けられる側の反対側であるが、図１の例では、スリット部２よりも低い位置に段差になってえぐれた形態になっている。こうすることにより、収容された液体の量を容易に確認することができる。なお、これに限定されず、段差がなく、スリット部２と同じ高さの上縁部１ａで開口部を構成するものであってもよい。。「略円筒形」とは、液体収容部１を平面視した形状が円形に近い形状であることを意味し、「略多角筒形」とは、液体収容部１を平面視した形状が多角形に近い形状であることを意味する。
【００３０】
（スリット部）
スリット部２は、コック２０のつば２４を上下から挟んで、計量カップ１０をスライドさせ、コック２０に着脱可能に取り付けるように機能する。このスリット部２は、段差部３の上方に位置して、液体収容部１の上縁部１ａを切り欠いた切り欠き部２ａに水平又は略水平に設けられている。こうすることにより、スリット部２が段差部３の上方の液体収容部上縁部１ａに左右一対で形成される。形成された一対のスリット部２，２は、コック２０のつば２４を上下から挟んで、計量カップ１０を前後方法Ｙにスライドさせるように機能する。なお、切り欠き部２ａは、平面視で円形又は略円形の液体収容部１の奥側に、滑らかな曲線部を経て連続した略平行に延びた部分（段差部３も含まれる）に設けられる。図４に示すように、切り欠くことで段差部３を形成できるとともに、側面も平行又は略平行であるので、切り欠いてできた対向する平行な対向側面に、スリット２ｈをそれぞれ形成することができる。
【００３１】
スリット部２において、「水平」とは、計量カップ１０が目盛り付きの液体容器であることから、スリット２ｈが収容された液体面と水平になっているという意味であり、「略水平」とは、スリット２ｈが厳密に水平でなくてもよいという意味であり、例えば、スリット２ｈを奥から手前に少し下げて形成した場合や、少し上げて形成した場合を含んでいる。例えば、バックインボックスにコック２０が取り付けられ、そのコック２０に計量カップ１０が取り付けられる場合、計量カップ１０に液体が注出されると液体収容部１が重くなってコック２０が多少下向きになる可能性がある。そうした場合に、例えば図９（Ｂ）に示すように、スリット２ｈをやや下向きに形成することにより、スリット部２をつば２４にはめ込んだ際に、計量カップ１０の手前がθ２の角度でやや上向きになり、その後液体が入って重くなって計量カップ１０の手前が下がり気味になっても、液体面は水平になり、ほぼ正確に計量できることになる。また、例えば図９（Ａ）に示すように、つば２４を手前が少し上がるようにθ１の角度だけ傾斜させている場合は、スリット２ｈは水平のままでもよく、液体が入って重くなって計量カップ１０の手前が下がり気味になっても、液体面は水平になり、ほぼ正確に計量できることになる。
【００３２】
スリット部２は、コック２０のつば２４に取り付けられる。取り付け相手のつば２４は、図３に示すように、コック２０の胴体部２１の少なくとも左右位置に突出し、前後方向Ｙに延びる平板形状として設けられている。左右位置に形成されたつば２４に対し、左右一対のスリット部２をはめ込んで取り付ける。スリット部２の隙間幅は、つば２４の厚さよりもわずかに大きいことが好ましい。このわずかな大きさが、クリアランスとなって計量カップ１０のスライド動作を滑らかに行わせることになる。クリアランスの程度は任意に調整される。前後方向Ｙに延びるスリット２ｈの長さは特に限定されないが、がたつきなく安定にはめ込まれた状態が維持できる長さであることが望ましい。
【００３３】
スリット部２は、細長い隙間で形成されたスリット２ｈと、スリット２ｈの下に位置する側面部分２ｂと、上に位置する帯状部分２ｃとで構成されている。側面部分２ｂの端部２ｇと、帯状部分２ｃの端部２ｆとは、側面部分端部２ｇが手前になっており、帯状部分端部２ｆは奥に向かって長くなっている。側面部分端部２ｇのスリット２ｈ側のコーナーと、帯状部分端部２ｆのスリット２ｈ側のコーナーは、コック２０のつば２４をはめ込み易くするために面取りした面取り部２ｄ，２ｅとなっていることが好ましい。
【００３４】
一対のスリット部２，２の各帯状部分２ｃは、図５に示すつば２４の胴体部側に形成された系止部２５の湾曲凹形状と同じ形状であり、中央が凹んだ湾曲凹形状の弾性構造になっていることが好ましい。こうすることにより、中央が凹んだ湾曲凹形状の帯状部分２ｃが、つば２４の胴体部側の系止部２５が有する湾曲凹形状と同じであるので、その湾曲凹形状の帯状部分２ｃと、湾曲凹形状の系止部２５とが係止構造１１となる。この係止構造１１では、帯状部分２ｃが有する弾性作用の付勢力Ｆ（図４（Ｂ）参照）により、スリット部２がコック２０から外れるのを防ぐことができる。
【００３５】
スリット部２の形状は、帯状部分２ｃが有する弾性作用の付勢力Ｆにより、スリット部２がコック２０から外れるのを防ぐ係止構造１１を実現するものであれば、図示の例に限定されず、種々の構造形態であってもよい。この計量カップ１０は、射出成形等で一体成形されるので、スリット部２や段差部３は液体収容部１とともに一体成形される。したがって、スリット部２を構成するスリット２ｈや帯状部分２ｃ等も容易に成形することができる。係止構造１１は、液体収容部１の側面形状と平面視で同じになるように射出成形金型を設計するのが便利であり、図４の例でも、スリット２ｈを形成する箇所の側面の平面視形状は中央が凹んだ湾曲凹形状であり、係止構造１１も同じ形状になっていることが好ましい。なお、射出成形金型を変更すれば、係止構造１１を任意に変更することができる。
【００３６】
こうしたスリット部２は、計量カップ１０の一体物又は別体物としてコック２０に係止する係止構造１１として機能するとともに、着脱可能に機能する。スリット部２がコック２０に係止する係止構造１１は、上記したように、一体成形体である計量カップ１０に設けられたスリット部２が兼ね備えるものであってもよいし、その一体成形体とは別の別体として計量カップ１０に付加されたものであってもよい。その際には、係止構造１１が煩雑で面倒にならない構造であることが好ましい。なお、図７の例は、スリット部２が係止構造１１として機能するとともに着脱可能に機能する他の例であるが、それらに限定されない。
【００３７】
図７（Ａ）の例は、つば２４の胴体部側に形成された系止部２５には、その中央が外側に凸の湾曲凸形状部２８（湾曲形状）を有している。また、スリット部２の帯状部分２ｃには、中央が外側に凸の湾曲凸形状部１４を有している。こうした帯状部分２ｃと系止部２５とで、係止機能と、着脱機能とを実現している。この例も上記同様、帯状部分２ｃが有する弾性作用の付勢力Ｆにより、スリット部２がコック２０から外れるのを防ぐいでいるとともに、着脱可能としている。
【００３８】
図７（Ｂ）の例は、つば２４の胴体部側に形成された系止部２５には、その取付部２７側に凹部２９を有している。また、スリット部２の帯状部分２ｃには、その先端に先端突起部１５を有している。こうした帯状部分２ｃと系止部２５とで、係止機能と着脱機能とを実現している。この例も上記同様、帯状部分２ｃが有する弾性作用の付勢力Ｆにより、スリット部２がコック２０から外れるのを防ぐいでいるとともに、着脱可能としている。
【００３９】
図８は、係止構造１１の他の例を備えた計量カップ１０である。この計量カップ１０は、スリット部２を覆うカバー４２が付加されている以外は、図１等に示す計量カップ１０と同じである。したがって、それ以外のスリット部２の構造形態は、上記したものと同様であるのでここではその説明を省略する。カバー４２は、帯状部分２ｃを補強するよう作用し、帯状部分２ｃを折れ難くすることができる。カバー４２は、液体収容部１から段差部３に繋がる凹形状の湾曲部に設けられ、図８に示すように、スリット２ｈ全てを覆うように設けられていてもよし、スリット２ｈの一部を覆うように設けられていてもよく、特に限定されない。
【００４０】
（段差部）
段差部３は、スリット部２をスライドさせてつば２４に取り付ける際に、注出口２３が液体収容部１に当たることなく容易に液体収容部１内に導く部位である。段差部３の構造は、スリット部２から下方に延びる凹みである。その凹み程度は、凹み上縁３ａからスリット部２までの長さＬ１が、コック２０のつば２４から注出口先端２３ａまでの長さＬ２よりも長い必要がある。こうすることにより、計量カップ１０をスライドさせて取り付ける際に、注出口先端２３ａが計量カップ１０に当たることを防ぐことができる。こうした段差部３は、スリット部２のところでも説明したように、スリット部２の下方に位置して、液体収容部１の上縁部１ａを切り欠く形状とすることで形成される。下方側の切り欠き長さは、上記したようにスリット部２からＬ１の長さ切り欠くことになる。
【００４１】
段差部３は、液体収容部１の一部を構成する、又は、液体収容部１への連通口を有する。段差部３は、注出口先端２３ａが液体収容部１に当たることなく容易に液体収容部内に導くので、その段差部３が液体収容部１の一部を構成するか、液体収容部１への連通口（図示しない）を有するように構成されていることにより、注出口２３から注出される液体を段差部３受けた後に液体収容部１に収容することができる。「一部を構成する」とは、図４に示すように、段差部でも液体を収容して、計量カップ１０全体の収容量の一部として含まれることを意味する。「液体収容部１への連通口を有する」とは、上記のように容器の一部を構成するか否かにかかわらず、段差部３と液体収容部１とが中間壁で区分けされており、その中間壁の下部に液体収容部１に液体を通過させる連通口を有する形態を包含する意味である。こうした理由は、段差部３がスリット部２の下方に設けられるものであり、そのスリット部２がコック胴体部２１周りのつば２４にはめ込まれるので、スリット部２の下方にはコック２０の注出口２３が位置することになっているからである。
【００４２】
（コック）
コック２０は、図３及び図５に示すように、上記した計量カップ１０を着脱容易に取り付ける対象であり、計量カップ１０と組み合わせて用いられる。コック２０は、袋体の口部に取り付けるための取付部２７と、袋体に収容された液体を注出する注出口２３と、注出口２３を開閉する操作部２２と、計量カップ１０が備えるスリット部２を着脱可能に取り付けるつば２４と、それらが連結された胴体部２１とで少なくとも構成されている。なお、例えば、バックインボックス等の袋体の口部（図示しない）は、外装箱に固定されており、コック２０の取付部２７は、そうした口部に取り付けられる。
【００４３】
注出口２３は、袋体に収容された液体を注出する部分であり、注出口２３から注出される液体は、取り付けられた計量カップ１０に液体を供給する。注出口先端２３ａは、計量カップ１０の着脱時に、段差部３の存在によって計量カップ１０に当たることがない。
【００４４】
操作部２２は、注出口２３を開閉する部分であり、コックの形態に応じてプッシュ式、スクリュー式、レバー式等での開閉機能を操作する部分である。本発明では、これらいずれの形式のコックにも適用できる。
【００４５】
つば２４は、計量カップ１０が備えるスリット部２を着脱可能に取り付ける部分である。つば２４は、胴体部２１の少なくとも左右位置に突出し前後方向Ｙに延びる平板である。こうすることにより、左右位置に形成されたつば２４に、計量カップ１０のスリット部２をスライドさせて取り付けることができる。つば２４の大きさは特に限定されないが、計量カップ１０の一体成形体の寸法に応じてスリット２ｈの長さや左右の間隔が決まってくるので、それに対応させた寸法であることが好ましい。
【００４６】
つば２４の胴体部側には、中央が凹んだ湾曲凹形状２６の系止部２５が設けられている。こうすることにより、つば２４の胴体部側の湾曲凹形状２６の系止部２５と、計量カップ１０のスリット部２の中央が凹んだ湾曲凹形状の係止構造１１とが同じであるので、スリット部２の係止構造１１の付勢力Ｆにより、スリット部２がコック２０から外れるのを防ぐことができる。
【００４７】
なお、計量カップ１０のところでも説明したように、バックインボックスにコック２０が取り付けられ、そのコック２０に計量カップ１０が取り付けられる場合、（１）計量カップ１０に液体が注出されると液体収容部１が重くなってコック２０が多少下向きになる可能性がある。そうした場合に、図８（Ｂ）に示すように、つば２４を水平にしてスリット２ｈをθ２の角度だけやや下向きに形成して組み合わせてもよいし、図８（Ａ）に示すように、つば２４を手前がθ１の角度だけ少し上がるように傾斜させてスリット２ｈを水平のままとしてもよい。なお、ここでの「水平」とは、胴体部２１の軸線に対して直交する方向のことである。
【００４８】
以上説明したように、本発明は、一体成形体で少なくとも構成されているので、従来技術と比較して形状の制約が少なく、１ピースで射出成形が可能なため、安価で量産可能な計量カップとすることができる。また、スリット部２が、コック２０のつば２４を上下から挟んでスライドするので、コック２０に着脱可能に取り付けることができる。また、段差部３を有するので、スリット部２をスライドさせてつば２４に取り付ける際に、注出口２３が液体収容部１に当たることなく容易に液体収容部１内に導くことができる。また、コック２０に係止する係止構造１１を一体又は別体で有するように構成した場合は、計量カップ１０がコック２０から外れて滑り落ちることがない。
【符号の説明】
【００４９】
１  液体収容部
１ａ  液体収容部上縁部
１ｂ  底
１ｃ  底の周縁
１ｄ  側面
２  スリット部
２ａ  切り欠き部
２ｂ  側面部分
２ｃ  帯状部分
２ｄ  面取り部
２ｅ  面取り部
２ｆ  帯状部分端部
２ｇ  側面部分端部
２ｈ  スリット
３  段差部
３ａ  凹み上縁
３ｂ  下面
４  目盛り
１０  計量カップ
１１  係止構造
１３  凹部
１４  湾曲凸形状部
１５  先端突起部
２０  コック
２１  胴体部
２２  操作部
２３  注出口
２３ａ  注出口先端
２４  つば
２５  系止部
２６  湾曲凹形状
２７  取付部
２８  湾曲凸形状部
２９  凹部
３０  組み合わせ
４２  カバー
Ｓ  スライド方向
Ｌ１  凹み上縁からスリット部までの長さ
Ｌ２  コックのつばから注出口先端までの長さ
Ｘ  左右方向
Ｙ  前後方向
Ｚ  上下方向
Ｆ  付勢力
θ１  つばの傾斜角度
θ２  スリットの傾斜角度
【図１】
2020050426.tif 000003
【図２】
2020050426.tif 000004
【図３】
2020050426.tif 000005
【図４】
2020050426.tif 000006
【図５】
2020050426.tif 000007
【図６】
2020050426.tif 000008
【図７】
2020050426.tif 000009
【図８】
2020050426.tif 000010
【図９】
2020050426.tif 000011